(57)【要約】【課題】  既存の吊り部材から天井板が脱落しても、天井板が床面に落下するのを防止することができる天井落下防止構造およびその施工方法を提供する。【解決手段】  この天井落下防止構造は、複数の第１吊り部材により上部構造体に吊り下げられた天井板２２の落下を防止するための構造で、天井板２２の下側面に貼着されるシート部材と、天井板２２およびシート部材を貫通するように設けられ、一端が上部構造体に連結された棒状の複数の第２吊り部材と、各第２吊り部材の他端に取り付けられ、天井板２２の荷重がかからないようにシート部材に隣接して配置される複数の支持部材とを含む。【選択図】  図２
2015183457.tif 000002
【特許請求の範囲】
【請求項１】
複数の第１吊り部材により上部構造体に吊り下げられた天井板の落下を防止するための天井落下防止構造であって、
前記天井板の下側面に貼着されるシート部材と、
前記天井板および前記シート部材を貫通するように設けられ、一端が前記上部構造体に連結された棒状の複数の第２吊り部材と、
各前記第２吊り部材の他端に取り付けられ、前記天井板の荷重がかからないように前記シート部材に隣接して配置される複数の支持部材とを含む、天井落下防止構造。
【請求項２】
前記シート部材は、樹脂フィルムもしくは化学繊維網または塗膜である、請求項１に記載の天井落下防止構造。
【請求項３】
前記第２吊り部材は、金属製または合成樹脂製の棒状部材である、請求項１または２に記載の天井落下防止構造。
【請求項４】
前記支持部材は、前記シート部材に隣接する支持面を有し、前記複数の支持部材が有する複数の前記支持面は、前記天井板が前記複数の第１吊り部材から脱落した場合に、前記天井板を前記シート部材ごと支持する、請求項１〜３のいずれか１項に記載の天井落下防止構造。
【請求項５】
複数の第１吊り部材により上部構造体に吊り下げられた天井板の落下を防止するための天井落下防止構造を施工する方法であって、
前記天井板の下側面にシート部材を貼着する段階と、
前記天井板および前記シート部材に複数の貫通孔を形成する段階と、
棒状の複数の第２吊り部材の各々を前記複数の貫通孔の各々に挿通させ、前記上部構造体に各前記第２吊り部材の一端を固定する段階と、
各前記第２吊り部材の他端に、前記天井板の荷重がかからないように前記シート部材に隣接して配置される複数の支持部材を取り付ける段階とを含む、天井落下防止構造の施工方法。
【発明の詳細な説明】
【技術分野】
【０００１】
本発明は、複数の吊り部材により吊り下げられた天井板の落下を防止するための天井落下防止構造およびその施工方法に関する。
【背景技術】
【０００２】
マンション、商用ビルや倉庫等の鉄筋コンクリートにより構築された構造物では、吊りボルトにより上階床（スラブ）から天井板を吊し、その天井板を支持する吊り天井が一般的である。吊り天井は、地震等により破損し、その破片等が落下して人的被害をもたらすため、天井落下防止対策が施されている。
【０００３】
天井落下防止対策として、一般に、天井裏において天井板を補強材でつなぐという補強工事が行われる。図１に示すように、構造物の上階スラブ１０から天井板１１が複数の吊り部材である吊りボルト１２で吊り下げられている場合、天井裏に足場１３を組み、耐震補強材である斜め部材１４を、天井裏空間を横切るように取り付ける工事が行われる。
【０００４】
天井裏には、換気ダクトや配管等が設置され、非常に狭い作業空間しか存在しないため、斜め部材１４を取り付けるにしても、それらの影響を受けやすく、施工効率が悪い。そこで、天井との取り合いの鉛直部材、例えば柱や壁等に、アンカー等を埋め込み、天井面の下方に防護ネットを張り、天井裏において補強工事を行わない補強方法が提案されている（例えば、特許文献１参照）。
【先行技術文献】
【特許文献】
【０００５】
【特許文献１】特開２０１３−８７５３０号公報
【発明の概要】
【発明が解決しようとする課題】
【０００６】
しかしながら、上記従来の補強方法では、天井との取り合いの柱や壁等にアンカーを埋め込んだ上で、防護ネットを張る必要があり、大空間の天井ではそのような施工が難しく、また、美観や音響特性を損なうという問題があった。既存の吊りボルト１２で防護ネットを吊り下げるため、その吊りボルト１２に耐力が必要で、地震等により吊りボルト１２が破断した場合、その他の部位に過大な力が加わることで、防護ネットを受ける部分が連鎖的に損傷し、天井落下を防止する機能を喪失する可能性があるという問題もあった。
【課題を解決するための手段】
【０００７】
本発明は、上記課題を解決するために、複数の既存の吊り部材（第１吊り部材）により上部構造体に吊り下げられた天井板の落下を防止するための天井落下防止構造であって、天井板の下側面に貼着されるシート部材と、天井板およびシート部材を貫通するように設けられ、一端が上部構造体に連結された棒状となった、複数の追加設置する別吊り材（第２吊り部材）と、各第２吊り部材の他端に取り付けられ、天井板の荷重がかからないようにシート部材に隣接して配置される複数の支持部材とを含む、天井落下防止構造が提供される。
【０００８】
また、本発明は、複数の既存の吊り部材（第１吊り部材）により上部構造体に吊り下げられた天井板の落下を防止するための天井落下防止構造を施工する方法であって、天井板の下側面にシート部材を貼着する段階と、天井板およびシート部材に複数の貫通孔を形成する段階と、棒状の複数の追加設置する別吊り材（第２吊り部材）の各々を複数の貫通孔の各々に挿通させ、上部構造体に各第２吊り部材の一端を固定する段階と、各第２吊り部材の他端に、天井板の荷重がかからないようにシート部材に隣接して配置される複数の支持部材を取り付ける段階とを含む、天井落下防止構造の施工方法も提供される。
【発明の効果】
【０００９】
本発明によれば、既存の吊り部材から天井板が脱落しても、天井板が床面に落下するのを防止することができる。また、柱や壁等にアンカーを埋め込む必要がなく、大空間の天井に対しても簡易に施工を実施することができ、美観や音響特性面の問題も少なくなる。
【図面の簡単な説明】
【００１０】
【図１】従来の天井落下防止対策として施工される補強工事の一例を示した図。
【図２】本発明の天井落下防止構造の一例を示した図。
【図３】図２に示した天井落下防止構造を別の角度から見た図。
【図４】図２に示した天井落下防止構造で使用される棒状の別吊り材と受け材とを拡大して示した図。
【図５】本発明の天井落下防止構造を施工する工事の流れを例示したフローチャート。
【図６】本発明の天井落下防止構造を施工しているところを例示した図。
【図７】紐状の別吊り材と受け材とにより天井板を吊り下げている様子を例示した第１断面図。
【図８】紐状の別吊り材と受け材とにより天井板を吊り下げている様子を例示した第２断面図。
【図９】紐状の別吊り材および受け材の別の態様を例示した図。
【発明を実施するための形態】
【００１１】
図２は、本発明の天井落下防止構造の一例を示した図である。この構造は、鉄筋コンクリート等により構築された吊り天井を有する既存の構造物の天井落下防止対策として施工される。まず、既存の吊り天井および構造物について説明する。既存の構造物は、上部構造体として、例えば上階スラブ２０と呼ばれる床版を有する。吊り天井は、上階スラブ２０に埋設されたインサート金物に螺合する等して、上階スラブ２０から垂れ下がるように固定される吊りボルト２１と、吊りボルト２１により吊り下げ支持される天井板２２とを有する。
【００１２】
上階スラブ２０は、例えば、２００ｍｍや２５０ｍｍといった所定の厚さを有する、充分な強度をもった上部構造体である。ここでは、上階スラブ２０を例示したが、充分な強度をもつ上部構造体であれば、これに限られるものではない。上階スラブ２０は、コンクリートのみであってもよいし、鉄筋コンクリートであってもよい。上部構造体は、木材、鋼板、鋼材等であってもよい。
【００１３】
吊りボルト２１は、表面がねじ切りされていて、一端が上階スラブ２０に埋設された雌ネジを有するインサート金物に螺合される等して固定され、他端には、ハンガーがナットを用いて連結される。ハンガーは、野縁受けと呼ばれる天井板を取り付けるための所定の方向に延びるように配置される棒状部材を引っ掛けるようにして支持する。野縁受けは、クリップと呼ばれる連結部材を用いて野縁と呼ばれる棒状部材を連結する。野縁は、野縁受けに対して垂直方向に延びるように配置される。天井板２２は、この野縁に、ボルトおよびナット等の連結部材を用いて連結される。天井板２２は、吊りボルト２１に取り付けるハンガーの高さ位置をナットにより調整することで、その高さ位置が調整される。
【００１４】
天井板２２は、所定サイズ、厚さの木板や石膏ボード（プラスターボード）等を用いることができ、上記の野縁にボルトで固定するため、複数の穴が設けられている。なお、この天井構造は一例であるので、吊り天井であれば、これ以外の構成や構造であってもよい。
【００１５】
天井落下防止構造は、地震等により天井板２２が破片状に分解するのを抑止するために、天井板２２の下側に向いた面（下側面）に貼着され、その下側面を覆うシート部材として破損防止シート２３を有する。破片状に分解されなければ、吊りボルト２１から脱落しない限り、天井板２２が床面へ落下するのを回避することができる。また、破損防止シート２３は、天井板２２が吊りボルト２１から脱落したとしても、その天井板２２が床面まで落下しないように、後述する別吊り材２４および受け材２５とともにその天井板２２を支えることができる。
【００１６】
破損防止シート２３としては、天井板２２が脱落した場合に、その天井板２２を支えることができるフィルムや網（ネット）等を用いることができる。破損防止シート２３は、接着剤やピン等を用いて、天井板２２の下側面の全面に均一に貼り付け、天井板２２と一体化することができる。
【００１７】
フィルムとしては、所定の厚みを有する樹脂フィルムを用いることができ、ネットとしては、化学繊維糸により編まれた化学繊維網を用いることができる。樹脂フィルムに用いられる樹脂材料としては、ポリエステル、ポリプロピレン、ナイロン（登録商標）、ポリ塩化ビニル、ポリウレタン、ＡＢＳ樹脂等を用いることができる。化学繊維糸に用いられる化学繊維材料としては、ナイロン（登録商標）、ポリエステル、アクリル、ポリプロピレン、ビニロン、レーヨン、ガラス繊維、炭素繊維等を用いることができる。なお、これに限らず、金属製の金網等であってもよい。
【００１８】
また、フィルムやネットのほか、シートの機能を期待して、厚塗り塗膜を塗り固めたものを、破損防止シート２３として用いることも可能である。塗膜を形成するために使用される塗料としては、アクリル樹脂、ウレタン樹脂、シリコン樹脂、エポキシ樹脂、フッ素樹脂を挙げることができる。塗料は、上記の順に耐久性が高くなるので、天井板２２の脱落や天井板２２が破片状に分解するのに対して充分な抑止能力をもつ材料として、耐久性が高い樹脂を用いることが望ましい。そのほか、ゴムシート等を用いることもできる。
【００１９】
樹脂フィルムや塗膜、ゴムシートは、天井板２２の分解を抑制し、別吊り材２４および受け材２５とともに脱落した天井板２２を支えることができれば、１枚の穴のないシート部材に限られるものではなく、１以上の穴を備えるものであってもよいし、複数の細長い短冊状のもので構成されていてもよい。
【００２０】
天井落下防止構造は、破損防止シート２３とともに用いられる、吊り部材としての複数の別吊り材２４と、支持部材としての複数の受け材２５とを有する。別吊り材２４は、既存の吊りボルト２１とは別に設けられ、例えば、上階スラブ２０を穿孔し、雌ネジアンカー等のインサート金物を埋め込み、そのインサート金物に一端を螺合することにより、上階スラブ２０に固定される。受け材２５は、別吊り材２４の他端にナット等を用いて緊結され、天井板２２が脱落した場合のその天井板２２の荷重を別吊り材２４へ伝達する。
【００２１】
別吊り材２４としては、吊りボルトを含む、炭素鋼やステンレス鋼等の金属製の棒状部材を用いることができ、そのほか、合成樹脂製の棒状部材を用いることもできる。合成樹脂としては、ポリエチレン、ポリプロピレン、ポリ塩化ビニル、ＡＢＳ樹脂、アクリル樹脂、ポリカーボネート、繊維強化プラスチック（ＦＲＰ）、ガラス繊維、炭素繊維等を用いることができる。棒状部材は、断面が円形、楕円形、矩形、多角形のいずれであってもよく、内部が中空の管であってもよい。その外表面は、ねじ切りされていなくてもよく、この場合、接着剤、溶接、溶着等により上階スラブ２０あるいは上階スラブ２０に取り付けられた金物等に接合し、固定することができる。
【００２２】
別吊り材２４は、上側の固定端である上階スラブ２０から真下の床面に向けて鉛直方向（鉛直下向き）に延びるように、上階スラブ２０に取り付けられるが、それに限られるものではなく、その鉛直下向きに対して斜めに傾斜させて取り付けられていてもよい。
【００２３】
別吊り材２４は、上階スラブ２０から吊りボルト２１とは別に設けられ、天井板２２および天井板２２に貼着された破損防止シート２３を貫通するように取り付けられる。受け材２５は、天井板２２の荷重がかからないように破損防止シート２３に隣接させて別吊り材２４に緊結される。受け材２５の緊結方法としては、ナットにより緊結することができるが、そのほか、接着剤、溶接や溶着により接合することも可能である。なお、この接合は、天井板２２が吊りボルト２１が外れたり、折れたりして、天井板２２が脱落した場合に、その天井板２２を支えるのに充分な強度をもった接合とされる。なお、吊りボルト２１が外れたり、折れたりした場合、その外れたり、折れたりした吊りボルト２１も同時に支えることができる強度をもった接合とされる。
【００２４】
緊結あるいは接合においては、別吊り材２４の余長さをわずかにとり、通常時において、天井板２２の荷重が別吊り材２４および受け材２５にかからない状態となるように緊結あるいは接合することができる。
【００２５】
受け材２５は、破損防止シート２３が貼着された天井板２２が脱落した場合にバックアップとしてそれを支える。受け材２５は、支えることができればいかなる形状であってもよいが、破損防止シート２３の下面を支える平坦な支持面を有する形状であることが望ましい。例えば、その支持面が円形、楕円形、矩形、多角形とされた板状物や、底面がそれらの形状とされた錐状物等を用いることができる。高い強度を有し、確実に天井板２２を支えることができる点で錐状物が好ましい。受け材２５は、天井板２２の重量を支えるのに充分な強度をもつ材料であればいかなる材料であってもよく、上記の金属や合成樹脂等を用いることができる。
【００２６】
受け材２５は、破損防止シート２３に隣接して配置される。このため、天井板２２が吊りボルト２１から脱落したとしても、荷重がかかるだけで、天井板２２が落下して受け材２５に衝突し、天井板２２が破損することはない。
【００２７】
本発明の天井落下防止構造は、一例として、図３に示す構成および構造とされる。複数の別吊り材２４が、向かって左右方向である幅方向およびその奥行き方向に等間隔で、向かって上下方向である鉛直方向に延びるように配置される。各別吊り材２４の上側の一端は、図示しない上階スラブに固定される。破損防止シート２３は、その幅方向および奥行き方向に等間隔に所定の径の貫通孔が形成され、各貫通孔に各別吊り材２４が通される。各別吊り材２４は、破損防止シート２３に設けられた各貫通孔に挿通された後、破損防止シート２３の下側に延びたその他端に、破線で示される各受け材２５が取り付けられる。
【００２８】
これにより、天井板２２が吊りボルト２１から脱落しても、天井板２２を、破損防止シート２３、別吊り材２４および複数の受け材２５により支えることができるので、床面への天井板２２の落下を防止することができる。なお、天井板２２に破損防止シート２３を貼り付けたことによる重量増加は、破損防止シート２３が比較的軽量なので、多くの場合は吊りボルト２１の余力で負担できる。また、それでは不十分の場合は、受け材２５の一部を、通常は天井板２２の荷重がかからないものとするところ、破損防止シート２３による重量増加分を補償するものとして荷重がかかるようにすることができる。
【００２９】
別吊り材２４と受け材２５は、図４に示すように、ナット２６を用いて緊結することができる。ここには図示しないが、溶接や溶着により接合することも可能である。図４では、ナット２６を用いて受け材２５を緊結している。具体的には、別吊り材２４を、天井板２２に形成した貫通孔２２ａおよび破損防止シート２３に形成した貫通孔２３ａに通し、その上側の一端を上階スラブに固定する。そして、受け材２５の中央に形成された穴に別吊り材２４を通す。最後に、ナット２６を別吊り材２４に螺合し、天井板２２の荷重がかからず、破損防止シート２３の下面には隣接する高さ位置に調整し、受け材２５を緊結して固定する。
【００３０】
ここで、図５に示すフローチャートを参照し、天井落下防止構造の施工方法を説明する。図２に示したような既存の吊り天井が存在し、その吊り天井の天井落下防止対策としてこの施工を行うものとする。ステップ５００からこの作業を開始し、ステップ５１０では、吊り天井を構成する天井板２２の下側面、すなわち床面に向いた面に、破損防止シート２３を貼着する。破損防止シート２３は、上記のように、接着剤やピン等を使用して貼り付けられる。
【００３１】
ステップ５２０では、破損防止シート２３が貼り付けられた天井板２２の所定位置に別吊り材２４の径より大きい径の貫通孔を形成する。貫通孔は、ドリル等の穴開け装置を使用して形成される。貫通孔の径は、別吊り材２４の径よりわずかに大きい程度が好ましい。貫通孔の径が大きすぎると、天井板２２が落下しないように、受け材２５を大きくしなければならず、それに伴い、材料コストがかかり、その重量も大きくなるので、別吊り材２４の強度を高める必要があるからである。
【００３２】
ステップ５３０では、上階スラブ２０に、予めまたは後施工で、別吊り材２４を固定するためのアンカー等を施す。例えば、雌ネジを有するインサート金物を埋設する。後施工で埋設する場合、雌ネジアンカー等を押し込み、または叩き込む等して埋設することができる。ステップ５４０では、天井板２２および破損防止シート２３に形成した貫通孔に、別吊り材２４を通し、上記のアンカー等に一端を固定し、上階スラブ２０から吊り下げる。
【００３３】
ステップ５５０では、天井板２２の荷重が加わらないように別吊り材２４に取り付ける高さ位置を調整しながら、受け材２５を別吊り材２４と緊結する。上記のようにナットを用い、受け材２５の下側をナットで締め付けることにより、高さ位置を調整しつつ、受け材２５を別吊り材２４と緊結することができる。このようにして、すべての受け材２５を緊結したところで、ステップ５６０へ進み、この施工を終了する。
【００３４】
この天井落下防止構造の施工では、図６に示すように、屋内から立ち上げた足場３０と天井裏に組まれた足場３１とを利用する。従来の補強方法では、図１に示すように天井裏に組まれた足場１３のみを利用している。このため、足場の数が多くなるが、屋内では、天井裏のようなダクトや配管等の支障物がないため、施工は容易であり、天井裏でも、別吊り材２４周囲の鉛直方向に向いた空間のみを確保すればよいため、従来の補強方法に比べて、施工は簡易である。
【００３５】
これまで、別吊り材２４として、棒状部材を用いる例について説明してきたが、別吊り材２４は、棒状部材に限らず、紐状のもの（紐状部材）であってもよい。紐状部材としては、ワイヤーやロープ等を挙げることができる。ワイヤーやロープは、上記の金属製および合成樹脂製のものを用いることができる。なお、紐状部材を用いる場合、紐状部材が延びる方向を鉛直下向きにする必要がなく、自由に変えられるため、凹凸や曲面を有する天井板２２に対しても対応が可能となる。
【００３６】
紐状部材を用いる場合の受け材２５との連結方法について、図７および図８を参照して説明する。ここでは、紐状部材としてワイヤーを用いるものとする。ワイヤーは、材質がステンレスや鋼材等の金属製で、天井板２２の重量を支えるのに充分な強度をもった材料から製造されるものとする。
【００３７】
受け材２５は、所定の厚さを有する平板状のものとされ、ワイヤー４０が、頭部がリング状とされた連結材、例えばアイボルト４１を介して緊結されている。例えば、受け材２５には、アイボルト４１が螺合可能な雌ネジが形成され、天井板２２および破損防止シート２３の貫通孔を介してその雌ネジにアイボルト４１の雄ネジを螺合することにより、受け材２５とアイボルト４１とを連結することができる。なお、これに限らず、溶接等により接合されていてもよい。ワイヤー４０は、アイボルト４１が有するリング部の中央の穴を通した後、その折り返し部分を、ワイヤー留め金具４２により折り返し前の部分と一緒に留めることにより、アイボルト４１と連結される。なお、ワイヤー留め金具４２を用いず、溶接して留めることも可能である。
【００３８】
図７では、アイボルト４１が貫通孔に隙間なく挿入されているのが図示されているが、実際には差し込んで取り付けるために多少の隙間を有し、また、アイボルト４１頭部のリング部と天井板２２との間にも多少の隙間が存在する。このため、天井板２２の脱落等によりアイボルト４１が延びる方向が鉛直方向に対して傾斜する場合があり、それに伴い、受け材２５も斜めになる。このとき、破損防止シート２３に隣接する受け材２５の支持面の角部が鋭利であると、その鋭利な角部と天井板２２とが接触して天井板２２が破損する可能性がある。
【００３９】
そこで、この鋭利な部分をなくすべく、角部２５ａを面取りし、角部２５ａにテーパを設けることができる。テーパ角度は、図７に示すような約４５°に限られるものではなく、適切な角度とすることができる。また、受け材２５を、角部２５ａが存在しない楕円体や球体とし、鋭利な角部が存在しない形態とすることもできる。
【００４０】
図７では、角部２５ａにテーパを設けた形態を例示したが、図８に示すように、角部２５ａを鋭利なままとし、受け材２５と破損防止シート２３との間に緩衝材４３を設けて、鋭利な角部２５ａによる天井板２２の破損を防止することもできる。緩衝材４３は、受け材２５の破損防止シート２３に向いた面より大きく形成され、受け材２５の鋭利な角部２５ａが直接天井板２２に接触しないようにすることが望ましい。
【００４１】
緩衝材４３としては、ゴム等の弾性材、綿や布、ポリウレタンやポリスチレン等の合成樹脂を発泡成形して作られる気泡緩衝材を用いることができる。緩衝材４３は、図８に示すように、受け材２５上側の支持面を覆うように板状に形成されているが、鋭利な角部の部分（支持面の縁部）のみをカバーする形状のものとすることができる。例えば、受け材２５の支持面が円形である場合、その板状のものの中央部分が円形にくり抜かれたリング状のものとすることができる。
【００４２】
これまで説明してきた天井落下防止構造は、破損防止シート２３と、受け材２５とが別の部材とされ、受け材２５が破損防止シート２３の下方に露出している。破損防止シート２３は天井板２２に貼り付けられて一体化されるため、美観および音響特性面の問題は少ない。しかしながら、受け材２５が露出しているため、受け材２５の大きさ、数、形状によっては、美観的に問題となる場合がある。
【００４３】
そこで、図９に示すように、受け材２５をなくし、破損防止シート２３と別吊り材２４とを同じ繊維で編まれた紐により構成することができる。具体的には、まず、その紐で作られたネット４４を、破損防止シート２３として天井板２２の下側面に貼り付ける。次に、上階スラブ２０に取り付けられた支持部材、例えばぶどう棚に、別吊り材２４としての紐４５の一端を結び、他端をほどく。天井板２２の貫通孔２２ａを覆う部分のネット４４を貫通孔２２ａ内に折り込み、その折り込んだ先端部分を、ほどいた紐４５の他端に編み込む。編み込んだ部分は、接着剤等により充分な強度に固定し、一体化する。
【００４４】
ネット４４を、貫通孔２２ａ内に折り込む際、その角部でその折り込んだ部分の紐が切れないように、貫通孔２２ａの周辺をテーパ仕上げとする。図９では、約４５°にテーパが形成されている。これにより、その部分で紐にかかるせん断力を低減させ、紐が切れるのを防止することができる。なお、このテーパ角度も、約４５°に限られるものではなく、適切な角度とすることができる。また、別吊り材２４が下方に露出しないため、美観的に優れたものとすることができる。
【００４５】
これ以上の美観を求める場合は、最後に、貫通孔２２ａを、図９に示す詰め栓４６等の閉鎖部材で塞ぎ、プラスチック樹脂系の接着剤やパテ４７で埋め、ネット４４以外を隠蔽することができる。貫通孔２２ａの部分が完全に埋められてしまうため、天井板２２の下側面には、ネット４４のみが貼り付けられた状態となり、より美観的に優れたものとすることができる。
【００４６】
これまで本発明の天井落下防止構造およびその施工方法について図面に示した実施形態を参照しながら詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００４７】
１０…上階スラブ、１１…天井板、１２…吊りボルト、１３…足場、１４…斜め部材、２０…上階スラブ、２１…吊りボルト、２２…天井板、２２ａ…貫通孔、２３…破損防止シート、２３ａ…貫通孔、２４…別吊り材、２５…受け材、２５ａ…角部、２６…ナット、３０、３１…足場、４０…ワイヤー、４１…アイボルト、４２…ワイヤー留め金具、４３…緩衝材、４４…ネット、４５…紐、４６…詰め栓、４７…プラスチック樹脂系の接着剤またはパテ
【図１】
2015183457.tif 000003
【図２】
2015183457.tif 000004
【図３】
2015183457.tif 000005
【図４】
2015183457.tif 000006
【図５】
2015183457.tif 000007
【図６】
2015183457.tif 000008
【図７】
2015183457.tif 000009
【図８】
2015183457.tif 000010
【図９】
2015183457.tif 000011